(57)【要約】  【課題】  平面型表示装置の支持架台の荷重が集中する部分を補強して外観をスリムにする。  【解決手段】  基端部に天井または床面への取付金具３を備えた支柱２の先端部２ａの側面に歯車状の噛合面を形成し、この噛合面に噛み合う噛合面を後端に形成した軽金属製の回動子４の前端に、平面型表示装置Ｔの背面に取り付けられる平板部を設けた取付板６を回動調節自在に取り付けるとともに、支柱２の噛合面と回動子４の噛合面を噛み合わせた状態でそれらの中心部に形成された連結ピン挿通孔４２に連結ピン７を挿通してつまみ５により締結することで回動子４の角度を調節自在とした平面型表示装置Ｔの支持架台１において、回動子４の軸心に前端側から雌ねじ穴４４を形成して、その雌ねじ穴４４に鋼材製のさら小ねじ４５を螺着して補強する。【選択図】  図６
2005172878.tif 000002
【特許請求の範囲】
【請求項１】
基端部に天井または床面への取付具を備えた支柱の先端部側面に歯車状の噛合面を形成し、この噛合面に噛み合う噛合面を後端に形成した軽金属製の回動子の前端に、平面型表示装置の背面に取り付けられる平板部を設けた取付板を回動調節自在に取り付けるとともに、前記支柱の噛合面と前記回動子の噛合面を噛み合わせた状態でそれらの中心部に形成された連結ピン挿通孔に連結ピンを挿通してつまみにより締結することで前記回動子の角度を調節自在とした平面型表示装置の支持架台において、
前記回動子の軸心に前端側から雌ねじ穴を形成して、その雌ねじ穴に鋼材製の小ねじを螺着したことを特徴とする平面型表示装置の支持架台。
【請求項２】
基端部に天井または床面への取付具を備えるとともに先端部側面の外周部に歯車状の噛合面を形成しかつ前記噛合面の中心に水平方向の連結ピン挿通孔を形成した支柱と、
後端の側面に前記支柱の噛合面と噛み合い可能な歯車状の噛合面を形成するとともに前記噛合面の中心に連結ピン挿通孔を形成しかつ前端の外周部に連結溝を形成した軽金属製の回動子と、
背面に前記回動子の連結溝に回動調節自在に連結される接続部を形成するとともに正面に平面型表示装置の背面に取り付けられる平板部を設けた取付板と、
頭部が前記支柱の連結ピン挿通孔より大径に形成されるとともに少なくとも先端部に雄ねじが形成されて、前記支柱側の連結ピン挿通孔から回動子側の連結ピン挿通孔に挿通される連結ピンと、
中央突起部に前記連結ピンの雄ねじに螺合される雌ねじを形成したつまみと、
を備え、前記支柱の連結ピン挿通孔から前記回動子の連結ピン挿通孔へ前記連結ピンを挿入して連結ピンの先端雄ねじに前記つまみの雌ねじを仮に螺合した状態で、前記支柱の噛合面と前記回動子の噛合面との噛み合い角度を調節した後、つまみを本締めする平面型表示装置の支持架台において、
前記回動子の軸心に前端側から雌ねじ穴を形成して、その雌ねじ穴に鋼材製の小ねじを螺着したことを特徴とする平面型表示装置の支持架台。
【請求項３】
請求項１または２に記載の平面型表示装置の支持架台において、
前記回動子の材質を亜鉛合金とし、前記小ねじをステンレス鋼製のさら小ねじとしたことを特徴とする平面型表示装置の支持架台。
【発明の詳細な説明】
【技術分野】
【０００１】
本発明は、平面型表示装置を天井から吊るしたり、テーブルの縁等の上方に支持する際に使用する平面型表示装置の支持架台に関する。
【背景技術】
【０００２】
平面型表示装置等を天井に吊るして支持するとともに、その平面型表示装置の姿勢を調整する装置として、従来、特許文献１に記載の「角度調整機構を有するホルダー」や、特許文献２に記載の「架台」がある。前者はその図５に示されるように、天井から円柱状の支柱を吊り下げ、その下端に垂直軸回りの回動を可能にして支持フレーム２を支持している。後者は、天井に取り付けた据え部２に自在継手部４を連結し、その下端に物品取付部３を介して液晶ビデオプロジェクター１００を取付けることにより姿勢調節を自在にしていた。
【特許文献１】特開２００２−２９５７９２号公報
【特許文献２】特開２００２−７２３５２号公報
【発明の開示】
【発明が解決しようとする課題】
【０００３】
ところで、液晶テレビやプラズマテレビ（以下ＰＤＰという）、ＥＬテレビのような平面型表示装置を室内の天井に吊るして設置する場合は、視覚的に平面型表示装置の生かして設置したいという要望がある。例えば、液晶テレビを設置する場合、その薄型形態を訴求したいのであるから、その支持に用いられる支持架台についても液晶テレビと視覚的にも釣り合う外観を有することが望まれている。その点からすると、特許文献１および特許文献２に記載されたものは、外観が太くてデザイン的に考慮されたものとは言い難いものであり、それらをそのまま液晶テレビに使用することはデザイン的に無理であった。液晶テレビは、従来のＣＲＴのテレビに比べて、薄型で軽量であり、そのイメージからすると、支持に用いられる支持架台に対しては、細くてスリムな外観が要求されている。また、これら支持架台は液晶テレビの販売台数に応じて販売されるため大量生産されるとともにその販売価格も低価格に抑えられている現状である。そのため、通常は、これら支持架台のヒンジ部分等は亜鉛ダイキャスト等により製作されている。鋼に比べて強度の劣る亜鉛合金等を用いたことで、外観をスリムにしてかつ必要な強度を確保することが、支持架台の設計上の課題であった。そこで、本発明は、亜鉛合金等の軽金属を用いた場合にも、外観がスリムでかつ必要な強度を確保することのできる平面型表示装置の支持架台を提供することを目的とした。
【課題を解決するための手段】
【０００４】
上記課題を解決するために、本発明は、基端部に天井または床面への取付具を備えた支柱の先端部側面に歯車状の噛合面を形成し、この噛合面に噛み合う噛合面を後端に形成した軽金属製の回動子の前端に、平面型表示装置の背面に取り付けられる平板部を設けた取付板を回動調節自在に取り付けるとともに、前記支柱の噛合面と前記回動子の噛合面を噛み合わせた状態でそれらの中心部に形成された連結ピン挿通孔に連結ピンを挿通してつまみにより締結することで前記回動子の角度を調節自在とした平面型表示装置の支持架台において、前記回動子の軸心に前端側から雌ねじ穴を形成して、その雌ねじ穴に鋼材製の小ねじを螺着する。詳しくは、基端部に天井または床面への取付具を備えるとともに先端部側面の外周部に歯車状の噛合面を形成しかつ前記噛合面の中心に水平方向の連結ピン挿通孔を形成した支柱と、後端の側面に前記支柱の噛合面と噛み合い可能な歯車状の噛合面を形成するとともに前記噛合面の中心に連結ピン挿通孔を形成しかつ前端の外周部に連結溝を形成した軽金属製の回動子と、背面に前記回動子の連結溝に回動調節自在に連結される接続部を形成するとともに正面に平面型表示装置の背面に取り付けられる平板部を設けた取付板と、頭部が前記支柱の連結ピン挿通孔より大径に形成されるとともに少なくとも先端部に雄ねじが形成されて、前記支柱側の連結ピン挿通孔から回動子側の連結ピン挿通孔に挿通される連結ピンと、中央突起部に前記連結ピンの雄ねじに螺合される雌ねじを形成したつまみとを備え、前記支柱の連結ピン挿通孔から前記回動子の連結ピン挿通孔へ前記連結ピンを挿入して連結ピンの先端雄ねじに前記つまみの雌ねじを仮に螺合した状態で、前記支柱の噛合面と前記回動子の噛合面との噛み合い角度を調節した後、つまみを本締めする平面型表示装置の支持架台において、前記回動子の軸心に前端側から雌ねじ穴を形成して、その雌ねじ穴に鋼材製の小ねじを螺着する。ここで、前記回動子の材質を亜鉛合金とし、前記小ねじをステンレス鋼製のさら小ねじとすることが可能である。
【発明の効果】
【０００５】
以上述べたように本発明によれば、液晶テレビ、ＰＤＰ，ＥＬテレビ等の平面型表示装置用支持架台を構成する軽金属製の回動子の軸心に他端側から雌ねじ穴を形成して、その雌ねじ穴に鋼材製の小ねじを螺着したことで、回動子が補強され、回動子に加わる曲げモーメントや、剪断応力に対する強度が増す。その結果、回動子の外観形状を細く設計することが可能となり、平面型表示装置の外観にマッチしたスリムな支持架台を得ることができる。
【発明を実施するための最良の形態】
【０００６】
以下、図に基づいて本発明の実施形態を説明する。
図１は本発明に係る平面型表示装置の支持架台の使用状態を示す外観図であり、図２は図１の支持架台の下半分の一部を破断して示した正面図であり、図３は図２の左側面図であり、図４は図２の右側面図であり、図５は図２の背面図である。図１に示されるように、支持架台１の支柱２の上端に取り付けられた取付金具３が天井面に取り付けられることにより、支柱２が吊り下げられる。支柱２の下端に連結された回動子４は、つまみ５を緩めて調節することにより、回動子４の向きが段階的に調節される。回動子４の前端には方形形状の取付板６が支持されている。この取付板６を平面型表示装置Ｔの背面にビス止めすることで、平面型表示装置Ｔが天井に吊り下げ支持されると同時に、画面の角度も調節可能となる。
【０００７】
支持架台１は、図２〜図５に示されるように、支柱２の下端に支柱２よりも大径の下端部２ａが押しねじとビスにより一体的に固定されている。下端部２ａはその下部の略軸心部分の側面に円形の噛合面が形成され、円周上の約９０度の範囲に歯車状の突起が形成されている。この噛合面に対して、回動子４の後端部に同様に形成された噛合面が噛み合わせられている。これら下端部２ａの噛合面の中心部と回動子４の後端部の噛合面の中心部には、それぞれ連続する連結ピン挿通孔が形成され、先端に雄ねじを形成し基端に頭部を形成した連結ピン７が、下端部２ａ側から挿通され、回動子４の後端部側面側でつまみ５の中央突起部の雌ねじが螺合されることで、互いの噛合面が噛み合わされて固定される。回動子４の上下方向の角度を変更したい場合は、つまみ５を緩めて、互いの噛合面をずらすことで段階的に調整することが可能である。これら支柱２の下端部２ａと、回動子４は亜鉛合金を用いたダイキャストにより製作される。
【０００８】
回動子４の前端は、図４に示されるように、外周に溝が形成されて、取付板６のボス部６ａ内に挿入されて押しねじとビスにより取付板６に固定されている。なお、取付板６は前記押しねじとビスを緩めることにより回動子４を軸にして回動させることが可能である。ボス部６ａは、取付板６の裏面からビス止めにより取付板６に一体的に固定されている。取付板６の四隅には、図５に示すようにそれぞれ取付孔８が形成され、平面型表示装置Ｔの背面にビスにより取付固定される。
【０００９】
次に、回動子４についてさらに説明する。図６は回動子４の縦断面図であり、図７は図６の左側面図であり、図８は図６の右側面図であり、図９は図６の背面図であり、図１０は図６の平面図である。これらの図に示されるように、回動子４は、後端（図６の下部）の左側面に円形の噛合面４１が形成されている。噛合面４１は、前述の支柱２の下端部２ａの噛合面に対応して形成され、円周上の約９０度の範囲に歯車状の突起が形成されている。噛合面４１の内側中心部には、連結ピン挿通孔４２が形成されている。回動子４の前端（図６の上部）の外周には溝４３が形成され、取付板６のボス部６ａに嵌合固定される。
【００１０】
さらに、回動子４の前端面（図６の上部）には軸心に雌ねじ穴４４が形成されてステンレス製のさら小ねじ４５が螺合されている。さら小ねじ４５の全長は、回動子４の軸方向の長さの約半分である。このように、回動子４の前端側の軸心に、回動子４の材質亜鉛合金よりも強度の大きいステンレス製のさら小ねじ４５を螺合したことで、支持架台１の構成部品中で最も荷重が集中する回動子４自体の強度が増す。その結果、回動子４の前端側の外形を太くすることなく必要な強度が得られて、回動子４の前端側の外形を細くして支柱２と略同径にデザインすることが可能となり外観がスリムな支持架台を得ることができる。なお、図示例は天井から吊り下げる支持架台について説明したが、床面やテーブルの縁の上方に支持する支持架台の場合も回動子部分を同様に構成できる。
【産業上の利用可能性】
【００１１】
本発明は、支柱と回動子と取付板とからなる平面型表示装置の支持架台以外にも、スピーカ装置を搭載した音響機器や一般の電子機器等、荷重が集中する短かい部材を有する支持架台にも利用してスリムな外観を得ることができる。
【図面の簡単な説明】
【００１２】
【図１】本発明に係る平面型表示装置の支持架台の使用状態を示す外観図である。
【図２】図１の支持架台の下半分の一部を破断して示した正面図である。
【図３】図２の左側面図である。
【図４】図２の右側面図である。
【図５】図２の背面図である。
【図６】図１の回動子の縦断面図である。
【図７】図６の左側面図である。
【図８】図６の右側面図である。
【図９】図６の背面図である。
【図１０】図６の平面図である。
【符号の説明】
【００１３】
１  支持架台
２  支柱
２ａ  下端部
３  取付金具
４  回動子
５  つまみ
６  取付板
６ａ  ボス部
７  連結ピン
８  取付孔
４１  噛合面
４２  連結ピン挿通孔
４３  溝
４４  雌ねじ穴
４５  さら小ねじ
Ｔ  平面型表示装置
【図１】
2005172878.tif 000003
【図２】
2005172878.tif 000004
【図３】
2005172878.tif 000005
【図４】
2005172878.tif 000006
【図５】
2005172878.tif 000007
【図６】
2005172878.tif 000008
【図７】
2005172878.tif 000009
【図８】
2005172878.tif 000010
【図９】
2005172878.tif 000011
【図１０】
2005172878.tif 000012